(57)【要約】【課題】無線接続の権限を有しない者が表示装置と不正に無線接続するのを防止する。【解決手段】通信システムＣ１において、表示装置であるプロジェクター１は、ワンタイムの暗号鍵を取得する取得手段１１と、端末装置３が自装置に無線接続するための情報を、暗号鍵を用いてエンコードしてコード画像を生成するエンコード手段１２と、コード画像を投写する投写手段１３とを有する。端末装置３は、コード画像が投写された投写面を撮像する撮像手段３１と、暗号鍵の入力を受け付ける受付手段３２と、撮像手段３１により撮像された撮像画像から抜き出されたコード画像を、受付手段３２により受け付けられた暗号鍵を用いてデコードするデコード手段３３と、受付手段３２により受け付けられた暗号鍵とデコード手段３３によりデコードされた情報とを用いてプロジェクター１と無線接続する接続手段３４とを有する。【選択図】図２
2015177285.tif 000002
【特許請求の範囲】
【請求項１】
表示装置と端末装置とを有し、
前記表示装置は、
ワンタイムの暗号鍵を取得する取得手段と、
前記端末装置が自装置に無線接続するための情報を、前記暗号鍵を用いてエンコードしてコード画像を生成するエンコード手段と、
前記コード画像を表示する表示手段と
を有し、
前記端末装置は、
前記コード画像が表示された表示画面を撮像する撮像手段と、
前記暗号鍵の入力を受け付ける受付手段と、
前記撮像手段により撮像された撮像画像から抜き出されたコード画像を、前記受付手段により受け付けられた暗号鍵を用いてデコードするデコード手段と、
前記受付手段により受け付けられた暗号鍵と前記デコード手段によりデコードされた情報とを用いて前記表示装置と無線接続する接続手段と
を有する通信システム。
【請求項２】
前記取得手段は、ユーザーによる前記暗号鍵の入力を受け付ける
ことを特徴とする請求項１に記載の通信システム。
【請求項３】
前記取得手段は、前記表示装置の電源が投入される度に、前記暗号鍵を乱数で生成する
ことを特徴とする請求項１に記載の通信システム。
【請求項４】
前記取得手段は、前記表示装置と前記端末装置との無線接続が切れる度に、前記暗号鍵を乱数で生成する
ことを特徴とする請求項１に記載の通信システム。
【請求項５】
ユーザーによる前記暗号鍵の入力を受け付ける受付手段と、
前記受付手段により受け付けられた暗号鍵を前記表示装置に送信する送信手段と
を有する入力装置をさらに有し、
前記取得手段は、前記入力装置から前記暗号鍵を取得する
ことを特徴とする請求項１に記載の通信システム。
【請求項６】
前記暗号鍵を生成する生成手段と、
前記生成手段により生成された暗号鍵を前記表示装置に送信する送信手段と
を有する入力装置をさらに有し、
前記取得手段は、前記入力装置から前記暗号鍵を取得する
ことを特徴とする請求項１に記載の通信システム。
【請求項７】
前記接続手段は、前記受付手段により受け付けられた暗号鍵を前記表示装置に送信し、
前記表示装置は、
前記接続手段から送信された暗号鍵と、前記取得手段により取得された暗号鍵とが一致する場合に、前記端末装置との無線接続を許可する許可手段
を有する請求項１に記載の通信システム。
【請求項８】
前記表示装置は、
複数の端末装置の中から、所定の規則に従って一の端末装置を選択する選択手段と、
前記取得手段により取得された暗号鍵を、前記選択手段により選択された一の端末装置に送信する送信手段
を有する請求項１に記載の通信システム。
【請求項９】
前記表示装置はプロジェクターであり、
前記表示画面は前記プロジェクターから画像が投写された投写画面である
ことを特徴とする請求項１ないし８のいずれか一項に記載の通信システム。
【請求項１０】
ワンタイムの暗号鍵を取得するステップと、
端末装置が表示装置に無線接続するための情報を、前記暗号鍵を用いてエンコードしてコード画像を生成するステップと、
前記コード画像を表示するステップと、
前記コード画像が表示された表示画面を撮像するステップと、
前記暗号鍵の入力を受け付けるステップと、
撮像された撮像画像から抜き出されたコード画像を、受け付けられた暗号鍵を用いてデコードするステップと、
受け付けられた暗号鍵とデコードされた情報とを用いて前記表示装置と無線接続するステップと
を有する通信方法。
【発明の詳細な説明】
【技術分野】
【０００１】
本発明は、通信システムおよび通信方法に関する。
【背景技術】
【０００２】
電子機器の表示部に表示されたＱＲコード（登録商標）を他の電子機器が撮像して読み取ることにより、無線ＬＡＮの設定などの各種操作を容易に行えるようにする技術が知られている。特許文献１には、一の撮像装置が、他の撮像装置のディスプレイに表示されたＱＲコードを撮像してデコードし無線ＬＡＮの設定情報や撮影条件等の情報を読み出す技術が記載されている。
【先行技術文献】
【特許文献】
【０００３】
【特許文献１】特開２００８−０７７３８０号公報
【発明の概要】
【発明が解決しようとする課題】
【０００４】
表示装置としてのプロジェクターがＱＲコードをスクリーンに投写し、投写されたＱＲコードを電子機器が読み取ることによりプロジェクターとの無線接続を行うシステムにおいては、無線接続の権限が与えられていない者の電子機器であってもＱＲコードを読み取りさえすればプロジェクターに無線接続できてしまうという問題があった。本発明は、コード画像を介して表示装置と端末装置との無線接続を行う通信システムにおいて、無線接続の権限を有しない者が不正に無線接続するのを防止することを目的の一つとする。
【課題を解決するための手段】
【０００５】
上述の課題を解決するため、本発明は、表示装置と端末装置とを有し、前記表示装置は、ワンタイムの暗号鍵を取得する取得手段と、前記端末装置が自装置に無線接続するための情報を、前記暗号鍵を用いてエンコードしてコード画像を生成するエンコード手段と、前記コード画像を表示する表示手段とを有し、前記端末装置は、前記コード画像が表示された表示画面を撮像する撮像手段と、前記暗号鍵の入力を受け付ける受付手段と、前記撮像手段により撮像された撮像画像から抜き出されたコード画像を、前記受付手段により受け付けられた暗号鍵を用いてデコードするデコード手段と、前記受付手段により受け付けられた暗号鍵と前記デコード手段によりデコードされた情報とを用いて前記表示装置と無線接続する接続手段とを有する通信システムを提供する。この通信システムによれば、無線接続の権限を有しない者が不正に無線接続することが防止される。
【０００６】
別の好ましい態様において、前記取得手段は、ユーザーによる前記暗号鍵の入力を受け付けることを特徴とする。この通信システムによれば、入力された暗号鍵を知らない者が不正に無線接続することが防止される。
【０００７】
別の好ましい態様において、前記取得手段は、前記表示装置の電源が投入される度に、前記暗号鍵を乱数で生成することを特徴とする。この通信システムによれば、表示装置の電源が投入される度に、異なる暗号鍵が用いられる。
【０００８】
別の好ましい態様において、前記取得手段は、前記表示装置と前記端末装置との無線接続が切れる度に、前記暗号鍵を乱数で生成することを特徴とする。この通信システムによれば、表示装置と端末装置との無線接続が切れる度に、異なる暗号鍵が用いられる。
【０００９】
別の好ましい態様において、ユーザーによる前記暗号鍵の入力を受け付ける受付手段と、前記受付手段により受け付けられた暗号鍵を前記表示装置に送信する送信手段とを有する入力装置をさらに有し、前記取得手段は、前記入力装置から前記暗号鍵を取得することを特徴とする。この通信システムによれば、入力装置を操作していない者が不正に無線接続することが防止される。
【００１０】
別の好ましい態様において、前記暗号鍵を生成する生成手段と、前記生成手段により生成された暗号鍵を前記表示装置に送信する送信手段とを有する入力装置をさらに有し、前記取得手段は、前記入力装置から前記暗号鍵を取得することを特徴とする。この通信システムによれば、生成された暗号鍵を知らない者が不正に無線接続することが防止される。
【００１１】
別の好ましい態様において、前記接続手段は、前記受付手段により受け付けられた暗号鍵を前記表示装置に送信し、前記表示装置は、前記接続手段から送信された暗号鍵と、前記取得手段により取得された暗号鍵とが一致する場合に、前記端末装置との無線接続を許可する許可手段を有する。この通信システムによれば、暗号鍵が一致しない場合に無線接続が許可されることが防止される。
【００１２】
別の好ましい態様において、前記表示装置は、複数の端末装置の中から、所定の規則に従って一の端末装置を選択する選択手段と、前記取得手段により取得された暗号鍵を、前記選択手段により選択された一の端末装置に送信する送信手段を有する。この通信システムによれば、暗号鍵が不正に取得されることが防止される。
【００１３】
別の好ましい態様において、前記表示装置はプロジェクターであり、前記表示画面は前記プロジェクターから画像が投写された投写画面であることを特徴とする。この通信システムによれば、無線接続の権限を有しない者が、プロジェクターに対し不正に無線接続することが防止される。
【００１４】
また、本発明は、ワンタイムの暗号鍵を取得するステップと、端末装置が表示装置に無線接続するための情報を、前記暗号鍵を用いてエンコードしてコード画像を生成するステップと、前記コード画像を表示するステップと、前記コード画像が表示された表示画面を撮像するステップと、前記暗号鍵の入力を受け付けるステップと、撮像された撮像画像から抜き出されたコード画像を、受け付けられた暗号鍵を用いてデコードするステップと、受け付けられた暗号鍵とデコードされた情報とを用いて前記表示装置と無線接続するステップとを有する通信方法を提供する。この通信方法によれば、無線接続の権限を有しない者が不正に無線接続することが防止される。
【図面の簡単な説明】
【００１５】
【図１】通信システムの全体構成を示す図。
【図２】通信システムの機能的構成を示すブロック図。
【図３】プロジェクターのハードウェア構成を示すブロック図。
【図４】タブレット端末のハードウェア構成を示すブロック図。
【図５】通信システムで行われる処理を示すシーケンスチャート。
【図６】無線接続の詳細を示すシーケンスチャート。
【００１６】
１．構成
図１は、本発明の一実施形態に係る通信システムＣ１の全体構成を示す図である。通信システムＣ１は、表示装置としてのプロジェクター１、タブレット端末２、タブレット端末３、コントローラーＲ、およびスクリーンＳＣを有する。プロジェクター１は、映像ソースである電子機器から入力された映像信号により示される画像（以下、「入力画像」という）をスクリーンＳＣに投写する投写装置である。この例で、プロジェクター１は、無線ＬＡＮ（Local Area Network）のアクセスポイントの機能を内蔵している。タブレット端末２およびタブレット端末３（端末装置の一例）は、映像信号をプロジェクター１に出力する電子機器である。通信システムＣ１において、タブレット端末２およびタブレット端末３は、無線ＬＡＮを介して映像信号をプロジェクター１に出力する。図１において、タブレット端末２はユーザーＵａにより利用されており、タブレット端末３はユーザーＵｂにより利用されている。この例で、ユーザーＵａは、通信システムＣ１の無線接続を管理する権限（以下、「管理権限」という）を有するユーザーである。ユーザーＵｂは、管理権限を有しないユーザー（例えば、通信システムＣ１を一時的に利用するユーザー）である。
【００１７】
プロジェクター１とタブレット端末２およびタブレット端末３との無線接続は、二次元コード（コード画像の一例であって、この例ではＱＲコード）を用いて行われる。具体的には、プロジェクター１が、ＳＳＩＤ（Service Set Identifier）および伝送速度などの無線接続に関する情報（以下、「無線接続情報」という）を示すＱＲコードをスクリーンＳＣに投写し、当該ＱＲコードをタブレット端末２およびタブレット端末３が読み取る（撮像してデコードする）ことにより、デコードした情報を用いてプロジェクター１とタブレット端末２およびタブレット端末３との無線接続が行われる。コントローラーＲは、赤外線通信等の無線でプロジェクター１を制御するための装置、いわゆるリモートコントローラーである。スクリーンＳＣは、プロジェクター１により投写される画像（以下、「投写画像」という）を映し出す面である。
【００１８】
無線接続のためのＱＲコードがスクリーンＳＣに投写される場合、電子機器を使用してスクリーンＳＣ上のＱＲコードを読み取る操作ができる人は、誰でも自らの電子機器とプロジェクター１との無線接続を行うことができる。そのため、管理権限を有しないユーザーがＱＲコードを読み取って、不正にプロジェクター１と無線接続を行う場合がある。また、過去にプロジェクター１と無線接続を行ったことのある電子機器には、無線接続情報が記憶されているため、当該電子機器が、管理権限を有するユーザーの意図しないタイミングで再びプロジェクター１に無線接続を行う場合もある。通信システムＣ１において、プロジェクター１は、予め取得した暗号鍵を用いてＱＲコードを生成し、当該ＱＲコードを投写することにより、管理権限を有しないユーザーが不正に無線接続を行うことを防止する。
【００１９】
図２は、通信システムＣ１の機能的構成を示すブロック図である。プロジェクター１は、取得手段１１と、エンコード手段１２と、投写手段１３と、許可手段１４とを有する。取得手段１１は、ＱＲコードを生成するために用いられる暗号鍵を取得する。暗号鍵は、いわゆるワンタイムキーであり、取得される度に異なる文字列を示すキーである。エンコード手段１２は、取得手段１１により取得された暗号鍵を用いて、無線接続情報をエンコードしてＱＲコードを生成する。投写手段１３（表示手段の一例）は、エンコード手段１２により生成されたＱＲコードを投写する。許可手段１４は、タブレット端末３から送信された暗号鍵と、取得手段１１により取得された暗号鍵とが一致する場合に、タブレット端末３との無線接続を許可する。
【００２０】
タブレット端末２は、受付手段２１と送信手段２２とを有する。受付手段２１は、ユーザーＵａによる暗号鍵の入力を受け付ける。送信手段２２は、受付手段２１により受け付けられた暗号鍵をプロジェクター１に送信する。
【００２１】
タブレット端末３は、撮像手段３１と、受付手段３２と、デコード手段３３と、接続手段３４とを有する。撮像手段３１は、ＱＲコードが投写された投写面を撮像する。受付手段３２は、ユーザーＵｂによる暗号鍵の入力を受け付ける。デコード手段３３は、撮像手段３１により撮像された撮像画像から抜き出されたＱＲコードを、受付手段３２により受け付けられた暗号鍵を用いてデコードする。接続手段３４は、受付手段３２により受け付けられた暗号鍵と、デコード手段３３によりデコードされた無線接続情報とを用いてプロジェクター１と無線接続を行う。
【００２２】
図３は、プロジェクター１のハードウェア構成を示すブロック図である。プロジェクター１は、ＭＣＵ（Micro Control Unit）１００と、ＲＯＭ（Read Only Memory）１０１と、ＲＡＭ（Random Access Memory）１０２と、記憶部１０３と、ＩＦ（インターフェース）部１０４と、画像処理回路１０５と、投写ユニット１０６と、受光部１０７と、操作パネル１０８と、入力処理部１０９とを有する。ＭＣＵ１００は、プログラムを実行することによりプロジェクター１の各部を制御する制御装置である。ＲＯＭ１０１は、各種プログラムおよびデータを記憶した不揮発性の記憶装置である。ＲＯＭ１０１は、ＭＣＵ１００が実行するプログラムを記憶する。ＲＡＭ１０２は、データを記憶する揮発性の記憶装置である。ＲＡＭ１０２は、入力画像をフレーム毎に記憶するフレームメモリーを有する。記憶部１０３は、データおよびプログラムを記憶する記憶装置である。
【００２３】
ＩＦ部１０４は、タブレット端末２およびタブレット端末３などの外部装置と通信を行う。ＩＦ部１０４は、外部装置と接続するための各種端子（例えば、ＶＧＡ端子、ＵＳＢ端子、有線ＬＡＮインターフェース、Ｓ端子、ＲＣＡ端子、ＨＤＭＩ（High-Definition Multimedia Interface：登録商標）端子など）および無線ＬＡＮインターフェースを備える。本実施形態において、ＩＦ部１０４は、無線ＬＡＮインターフェースを介してタブレット端末２およびタブレット端末３と通信を行う。画像処理回路１０５は、入力画像に所定の画像処理を施す。画像処理回路１０５は、画像処理後の入力画像をフレームメモリーに書き込む。
【００２４】
投写ユニット１０６は、光源１１６と、液晶パネル１２６と、光学系１３６と、光源駆動回路１４６と、パネル駆動回路１５６と、光学系駆動回路１６６とを有する。光源１１６は、高圧水銀ランプ、ハロゲンランプ、若しくはメタルハライドランプなどのランプ、またはＬＥＤ（Light Emitting Diode）若しくはレーザーダイオードなどの固体光源を有し、液晶パネル１２６に光を照射する。液晶パネル１２６は、光源１１６から照射された光を画像データに応じて変調する光変調器である。この例で、液晶パネル１２６は透過型の液晶パネルであり、各画素の透過率が画像データに応じて制御される。プロジェクター１は、ＲＧＢの三原色に対応した３枚の液晶パネル１２６を有する。光源１１６からの光はＲＧＢの３色の色光に分離され、各色光は対応する液晶パネル１２６に入射する。各液晶パネルを通過して変調された色光はクロスダイクロイックプリズム等によって合成され、光学系１３６に射出される。光学系１３６は、液晶パネル１２６により画像光へと変調された光を拡大してスクリーンＳＣに投写するレンズと、投写する画像の拡大・縮小および焦点の調整を行うズームレンズとを有する。光源駆動回路１４６は、ＭＣＵ１００の制御に従って光源１１６を駆動する。パネル駆動回路１５６は、画像処理回路１０５から出力された画像データに応じて液晶パネル１２６を駆動する。光学系駆動回路１６６は、ＭＣＵ１００の制御に従って光学系１３６を駆動し、ズームの度合いの調整およびフォーカスの調整を行う。
【００２５】
受光部１０７は、コントローラーＲから送信される赤外線信号を受光し、受光した赤外線信号をデコードして入力処理部１０９に出力する。操作パネル１０８は、プロジェクター１の電源のオン／オフまたは各種操作を行うためのボタンおよびスイッチを有する。入力処理部１０９は、コントローラーＲおよび操作パネル１０８による操作内容を示す情報を生成し、ＭＣＵ１００に出力する。
【００２６】
プロジェクター１において、プログラムを実行しているＭＣＵ１００により制御されたＩＦ部１０４は、取得手段１１の一例である。プログラムを実行しているＭＣＵ１００は、エンコード手段１２および許可手段１４の一例である。プログラムを実行しているＭＣＵ１００により制御された投写ユニット１０６は、投写手段１３の一例である。
【００２７】
図４は、タブレット端末２のハードウェア構成を示すブロック図である。タブレット端末２は、ＣＰＵ（Central Processing Unit）２００と、ＲＯＭ２０１と、ＲＡＭ２０２と、ＩＦ部２０３と、タッチパネル２０４と、撮像部２０５と、記憶部２０６とを有する。ＣＰＵ２００は、プログラムを実行することによりタブレット端末２の各部を制御する制御装置である。ＲＯＭ２０１は、各種のプログラムおよびデータを記憶した不揮発性の記憶装置である。ＲＡＭ２０２は、データを記憶する揮発性の記憶装置である。ＩＦ部２０３は、プロジェクター１などの外部装置と通信を行う。ＩＦ部２０３は、プロジェクター１と無線接続を行うための無線ＬＡＮインターフェースを備える。タッチパネル２０４は、液晶ディスプレイなどの表示面上に座標を感知するパネルが重ねて設けられた入力装置である。タッチパネル２０４には、例えば、光学式、抵抗膜方式、静電容量式、または超音波式のタッチパネルが用いられる。撮像部２０５は、被写体を撮像し、画像データを生成するデジタルカメラであり、レンズ、ＣＣＤ(Charge Coupled Device)イメージセンサー、および信号処理回路（いずれも図示せず）を有する。記憶部２０６は、データおよびプログラムを記憶する記憶装置である。タブレット端末３は、タブレット端末２と同様のハードウェア構成を有する。
【００２８】
タブレット端末２において、プログラムを実行しているＣＰＵ２００により制御されたタッチパネル２０４は、受付手段２１の一例である。プログラムを実行しているＣＰＵ２００により制御されたＩＦ部２０３は、送信手段２２の一例である。タブレット端末３において、プログラムを実行しているＣＰＵ３００により制御された撮像部３０５は、撮像手段３１の一例である。プログラムを実行しているＣＰＵ３００により制御されたタッチパネル３０４は、受付手段３２の一例である。プログラムを実行しているＣＰＵ３００は、デコード手段３３の一例である。プログラムを実行しているＣＰＵ３００により制御されたＩＦ部３０３は、接続手段３４の一例である。
【００２９】
２．動作
図５は、プロジェクター１とタブレット端末３とが無線接続を行う際に通信システムＣ１において行われる処理を示すシーケンスチャートである。図５において、プロジェクター１とタブレット端末２とは予め無線接続されている。また、タブレット端末２およびタブレット端末３には、プロジェクター１と無線接続を行って映像ソースとして動作するためのソフトウェア（以下、「無線接続用ソフトウェア」という）が予めインストールされており、タブレット端末２においては当該無線接続用ソフトウェアが実行されている。以下の処理は、プロジェクター１に対して、無線接続情報を示すＱＲコードを投写させるための指示（以下、「ＱＲコード投写指示」という）が入力されたことを契機として開始される。ＱＲコード投写指示は、例えば、ユーザーＵａがタブレット端末２のタッチパネル２０４を操作することにより入力される。別の例で、ＱＲコード投写指示は、ユーザーＵａがコントローラーＲまたはプロジェクター１の操作パネル１０８を操作することにより入力してもよい。
【００３０】
ステップＳ１において、タブレット端末２のＣＰＵ２００は、暗号鍵の入力を受け付ける。暗号鍵は、例えば、ユーザーＵａがタッチパネル２０４を操作することにより入力される。この例で、暗号鍵としては、任意の文字列を用いることができる。ステップＳ２において、ＣＰＵ２００は、入力された暗号鍵をプロジェクター１に対して送信する。
【００３１】
ステップＳ３において、プロジェクター１のＭＣＵ１００は、タブレット端末２から取得した暗号鍵をＲＡＭ１０２に記憶する。ステップＳ４において、ＭＣＵ１００は、無線接続情報をエンコードすることによりＱＲコードを生成する。具体的には、ＭＣＵ１００は、タブレット端末２から取得した暗号鍵を用い、無線接続情報を所定の暗号化アルゴリズムで暗号化する。ＭＣＵ１００は、暗号化された無線接続情報からＱＲコードを生成する。無線接続情報は、予め記憶部１０３に記憶されている。ステップＳ５において、ＭＣＵ１００は、生成されたＱＲコードを投写する。
【００３２】
ステップＳ６において、タブレット端末３のＣＰＵ３００は、ＱＲコードが投写された投写面を撮像する。ＱＲコードの撮像は、例えば、ユーザーＵｂが、タブレット端末３のタッチパネル３０４を操作して無線接続用ソフトウェアを起動した上で、ＱＲコードを読み取るための指示を入力することにより行われる。ユーザーＵｂは、スクリーンＳＣに投写されるＱＲコードが撮像部３０５により撮像されるように、タブレット端末３を構える。ＣＰＵ３００は、撮像画像を示す画像データをＲＡＭ３０２に記憶する。
【００３３】
ステップＳ７において、ＣＰＵ３００は、暗号鍵の入力を受け付ける。具体的には、タッチパネル３０４には、暗号鍵の入力を受け付けるための画像（以下、「キー入力用画像」という）が表示される。ユーザーＵｂは、ユーザーＵａが入力した暗号鍵をユーザーＵａから例えば口頭で教えてもらい、キー入力用画面を操作して当該暗号鍵を入力する。ＣＰＵ３００は、入力された暗号鍵をＲＡＭ３０２に記憶する。ステップＳ８において、ＣＰＵ３００は、ＲＡＭ３０２に記憶された撮像画像からＱＲコードを抜き出してデコードする。具体的には、ＣＰＵ３００は、ＱＲコードをデコードして、暗号化された無線接続情報を取得する。ＣＰＵ３００は、暗号化された無線接続情報を、ＲＡＭ３０２に記憶された暗号鍵を用いて、所定の暗号化アルゴリズムで復号する。この暗号化アルゴリズムは、ステップＳ３で用いられた暗号化アルゴリズムと共通のものである。ＣＰＵ３００は、復号された無線接続情報をＲＡＭ３０２に記憶する。なお、タブレット端末３に入力された暗号鍵がタブレット端末２に入力された暗号鍵（ＲＡＭ１０２に記憶された暗号鍵）と異なる場合には、無線接続情報を正しく復号することができない。ステップＳ９において、ＣＰＵ３００は、ＲＡＭ３０２に記憶された暗号鍵と、復号された無線接続情報とを用いてプロジェクター１と無線接続を行う。
【００３４】
図６は、ステップＳ９における無線接続の詳細を示すシーケンスチャートである。ＱＲコードがデコードされると、タブレット端末３のＣＰＵ３００は、ＲＡＭ３０２に記憶された無線接続情報（具体的にはＳＳＩＤ）により識別されるアクセスポイント（プロジェクター１）に対して、ＳＳＩＤを確認させるための要求（プローブ要求）を送信する。プローブ要求は、ＳＳＩＤを含む。プロジェクター１のＭＣＵ１００は、プローブ要求を受信すると、プローブ要求に含まれるＳＳＩＤと記憶部１０３に記憶されたＳＳＩＤとが一致するか否かを判定する。ＭＣＵ１００は、ＳＳＩＤが一致する場合には、プローブ要求に対する応答（プローブ応答）をタブレット端末３に送信する。
【００３５】
ＣＰＵ３００は、プローブ応答を受信すると、プロジェクター１に認証をさせるための要求（認証要求）をプロジェクター１に送信する。認証要求は、暗号鍵を含む。ＣＰＵ３００は、ＲＡＭ３０２から暗号鍵を読み出して認証要求を送信する。ＭＣＵ１００は、認証要求を受信すると、認証要求に含まれる暗号鍵とＲＡＭ１０２に記憶された暗号鍵（タブレット端末２から取得した暗号鍵）とが一致するか否かを判定する。ＭＣＵ１００は、暗号鍵が一致する場合には、認証をしたことを示す応答（認証応答）をタブレット端末３に送信する。暗号鍵が一致しない場合には、ＭＣＵ１００は、認証応答を送信しない。この場合、プロジェクター１とタブレット端末３との無線接続は行われない。
【００３６】
ＣＰＵ３００は、認証応答を受信すると、無線接続を開始するための要求（アソシエーション要求）をプロジェクター１に送信する。ＭＣＵ１００は、アソシエーション要求を受信すると、無線接続を許可する応答（アソシエーション応答）をプロジェクター１に送信する。アソシエーション応答が送信されると、プロジェクター１とタブレット端末３との無線接続が開始される。
【００３７】
以上の処理により、タブレット端末３がＱＲコードをデコードし、プロジェクター１と無線接続を行うために暗号鍵が用いられる。この暗号鍵は、管理権限を有するユーザーＵａから取得されるワンタイムキーである。したがって、管理権限を有しないユーザーが不正に無線接続を行うことが防止される。
【００３８】
＜変形例＞
本発明は、上述の実施形態に限定されるものではなく、種々の変形実施が可能である。以下、変形例をいくつか説明する。以下で説明する変形例のうち、２つ以上のものが組み合わされて用いられてもよい。
【００３９】
（１）変形例１
ステップＳ１において、ユーザーＵａがプロジェクター１に暗号鍵を入力する方法は、タブレット端末２を操作する方法に限らない。ユーザーＵａは、例えば、コントローラーＲを入力装置として用いることによりプロジェクター１に暗号鍵を入力してもよい。別の例で、ユーザーＵａは、プロジェクター１の操作パネル１０８を操作することにより暗号鍵を入力してもよい。
【００４０】
（２）変形例２
プロジェクター１は、暗号鍵を生成してもよい。例えば、プロジェクター１は、プロジェクター１への電源が投入される度に暗号鍵を乱数で生成してもよい。別の例で、プロジェクター１は、プロジェクター１と端末装置との無線接続が切れる度に暗号鍵を乱数で生成してもよい。さらに別の例で、プロジェクター１は、暗号鍵を生成させるための指示（以下、「キー生成指示」という）が入力される度に暗号鍵を乱数で生成してもよい。キー生成指示は、例えば、ユーザーＵａがタブレット端末２、コントローラーＲ、またはプロジェクター１の操作パネル１０８を操作することにより入力される。
【００４１】
プロジェクター１が暗号鍵を生成する場合、プロジェクター１は、少なくとも一の端末装置（管理権限を有するユーザーが利用する端末装置）に対して暗号鍵を送信する。例えば、プロジェクター１は、自装置と無線接続された複数の端末装置の中から所定の規則に従って一の端末装置を選択し、当該端末装置に対して暗号鍵を送信する。具体例として、プロジェクター１は、自装置と無線接続された複数の端末装置の中で、予め登録された優先度が最も高い一の端末装置に対して暗号鍵を送信する。別の具体例として、プロジェクター１は、自装置との無線接続が開始されたタイミングが最も早い一の端末装置に対して暗号鍵を送信する。
【００４２】
（３）変形例３
タブレット端末２は、暗号鍵を生成してもよい。例えば、タブレット端末２は、自装置を識別する識別番号から暗号鍵を生成してもよい。別の例で、タブレット端末２は、暗号鍵を乱数で生成してもよい。これらの場合、ユーザーＵａは、ステップＳ１において暗号鍵を入力する代わりに、タブレット端末２に暗号鍵を生成させるための指示を入力する。
【００４３】
（４）変形例４
ユーザーＵａが暗号鍵をユーザーＵｂに伝達する手段は、口頭に限らない。例えば、タブレット端末２とタブレット端末３との間の無線通信を介して、タブレット端末２からタブレット端末３へ暗号鍵が送信されてもよい。別の例で、タブレット端末２は、ユーザーＵａにより暗号鍵が入力されると当該暗号鍵を示すＱＲコードを生成してタッチパネル２０４に表示し、当該ＱＲコードをタブレット端末３が読み取ることにより暗号鍵が伝達されてもよい。この場合、タブレット端末３は、デコードされた暗号鍵を、タッチパネル３０４に表示することなく、ステップＳ８におけるデコードおよびステップＳ９における無線接続に用いてもよい。なお、タブレット端末２は、無線接続情報と暗号鍵とを示す一のＱＲコードを生成してタッチパネル２０４に表示してもよい。この場合、タブレット端末３は、スクリーンＳＣに投写されたＱＲコードを読み取ることなく、プロジェクター１と無線接続を行うことができる。
【００４４】
（５）変形例５
プロジェクター１は、図５および図６に示す処理により端末装置と無線接続を行うモード（以下、「セキュアモード」という）と、暗号鍵を用いずに生成されたＱＲコードを介して端末装置と無線接続を行うモード（以下、「ノーマルモード」という）とを備えており、ユーザーの選択に応じていずれかのモードを実行してもよい。セキュアモードおよびノーマルモードは、例えば、コントローラーＲまたは操作パネル１０８を操作することにより切り替わる。
【００４５】
（６）変形例６
暗号鍵は、必ずしもワンタイムキーでなくてもよい。暗号鍵は、例えば、無線接続のための認証に用いられた回数が所定の閾値を超える度に異なる文字列に変更されてもよい。別の例で、暗号鍵は、所定の時間が経過する度に異なる文字列に変更されてもよい。
【００４６】
（７）変形例７
コード画像は、ＱＲコードに限らない。コード画像は、エンコードされた情報を示す画像であれば、例えば、ＰＤＦ４１７、ＣＰ(Communication Platform)コード、ＨＣＣＢ(High Capacity Color Barcode)などの他の二次元コードであってもよい。また、コード画像は、一次元コードであってもよい。
【００４７】
（８）変形例８
コード画像が示す無線接続情報は、ＳＳＩＤおよび伝送速度に限らない。無線接続情報は、ＳＳＩＤに加えて、例えば、セキュリティ方式またはＱｏＳ（Quality of Service）機能などの通信に関する各種パラメーターを示してもよい。また、無線接続情報は、ユーザーＵａにより入力された暗号鍵とは別の鍵（以下、「無線接続鍵」という）を、ＳＳＩＤに加えて示してもよい。この場合、ステップＳ９の無線接続において、無線接続鍵を用いた認証がさらに行われてもよい。
【００４８】
（９）変形例９
プロジェクター１は、タブレット端末２およびタブレット端末３との無線接続が行われた後に、映像信号をタブレット端末２およびタブレット端末３に出力してもよい。この場合、タブレット端末２およびタブレット端末３は、プロジェクター１から入力された映像信号により示される入力画像をタッチパネル２０４およびタッチパネル３０４に表示する。
【００４９】
（１０）変形例１０
通信システムＣ１で用いられる各装置のハードウェア構成は、図３および図４に示した構成に限らない。図５および図６に示した処理が実行されれば、各装置はどのようなハードウェア構成を有していてもよい。例えば、液晶パネル１２６は、反射型の液晶パネルであってもよい。また、液晶パネル１２６に代えて、有機ＥＬ（ElectroLuminescence）素子、デジタルミラーデバイス（ＤＭＤ）等の電気光学素子が用いられてもよい。また、液晶パネル１２６は色成分毎に設けられていなくてもよく、プロジェクター１は単一の液晶パネル１２６を有していてもよい。この場合、各色成分の画像は時分割で表示されてもよい。また、アクセスポイントは、プロジェクター１とは別に設けられていてもよい。また、プロジェクターの代わりに、液晶ディスプレイ（ＬＣＤ）、有機ＥＬディスプレイ、プラズマディスプレイなどの直視の表示装置を採用してもかまわない。
【００５０】
（１１）変形例１１
端末装置は、ＱＲコードを読み取ることができる電子機器であれば、パーソナルコンピューター、スマートフォン、携帯電話機、デジタルカメラ、ゲーム機などでもよい。
【符号の説明】
【００５１】
１…プロジェクター、１１…取得手段、１２…エンコード手段、１３…投写手段、１４…許可手段、１００…ＭＣＵ、１０１…ＲＯＭ、１０２…ＲＡＭ、１０３…記憶部、１０４…ＩＦ部、１０５…画像処理回路、１０６…投写ユニット、１１６…光源、１２６…液晶パネル、１３６…光学系、１４６…光源駆動回路、１５６…パネル駆動回路、１６６…光学系駆動回路、１０７…受光部、１０８…操作パネル、１０９…入力処理部、２，３…タブレット端末、２１…受付手段、２２…送信手段、３１…撮像手段、３２…受付手段、３３…デコード手段、３４…接続手段、２００，３００…ＣＰＵ、２０１，３０１…ＲＯＭ、２０２，３０２…ＲＡＭ、２０３，３０３…ＩＦ部、２０４，３０４…タッチパネル、２０５，３０５…撮像部、２０６，３０６…記憶部
【図１】
2015177285.tif 000003
【図２】
2015177285.tif 000004
【図３】
2015177285.tif 000005
【図４】
2015177285.tif 000006
【図５】
2015177285.tif 000007
【図６】
2015177285.tif 000008